(57)【特許請求の範囲】
【請求項１】
合成樹脂原料を供給した混合容器（１５）の攪拌混合と、昇降自在に作動する混合機本体（１）は、縦枠（１７）（１７）…と横枠（１８）（１８）及び昇降横枠（２）とを以て方形状に枠組され、該昇降横枠（２）には上部にモーター（３）を設置すると共に、該モーター（３）の下端の回転軸部（５）に攪拌機（２０）を連結し、該攪拌機（２０）には、一方に垂直攪拌軸（８）を設けた長片腕杆（６）と他方に垂直攪拌軸（８）を設けた短片腕杆（７）を形成し、該垂直攪拌軸（８）（８）には、各々支持軸（１１）（１１）を突設し、該支持軸（１１）（１１）には、複数の攪拌翼片（１０）を設けた着脱攪拌翼部（９）を着脱自在に装着したことを特徴とする合成樹脂原料の混合攪拌翼装置。
【請求項２】
請求項１における垂直攪拌軸（８）に設けた支持軸（１１）を多角形とすると共に、該支持軸（１１）に嵌合する着脱攪拌翼部（９）の挿通孔（１２）を多角形としたことを特徴とする請求項１の合成樹脂原料の混合攪拌翼装置。
【発明の詳細な説明】
【０００１】
【産業上の利用分野】
本発明は、各種の合成樹脂成型機に供給する樹脂原料となるペレツトを着色混合する際に、攪拌機の攪拌翼片の汚染した時の清掃を容易とすることを特徴とした合成樹脂原料の混合攪拌翼装置に関するものである。
【０００２】
【従来の技術】
従来この種の混合容器に、樹脂原料となる各種のペレツトを混合着色する場合の着色剤等を混合攪拌するものでは、着色混合が終了した後の攪拌翼片に付着した着色剤の清掃を丁寧にすることが一般に実施されている現状である。
【０００３】
また、従来の円形状の混合容器に使用する攪拌機は、回転軸の下方に左右相対する同一寸法の腕杆に攪拌翼片を設けたもので混合攪拌することが普通に実施されている現状である。
【０００４】
【発明が解決しようとする課題】
上記従来の技術で使用されている攪拌翼片に付着した着色剤を清掃する場合は、攪拌機を上昇された後に各々洗浄液を以て翼片を丁寧に清掃するため、多くの手間と時間がかかると云う欠点があった。
また、攪拌機の左右相対する同一寸法の腕杆に攪拌翼片を設けたものでは、各々の原料は攪拌翼片によって同一方向で同一場所のみを回転するため、混合が混合容器内の全体を平均して混合できないために、長期間の攪拌作業を繰り返し実施しないと均一に混合及び染色できないと云う実用上不充分な欠点がある。
【０００５】
本発明は、従来の技術の有する上記の欠点を解決するものであって、その主たる目的とする所は、攪拌機に設けた垂直攪拌軸の清掃に、面倒な攪拌翼片の部分を着脱自在の着脱攪拌翼片を以て形成し、清掃を極めて確実容易にした点にある。また、攪拌機に攪拌翼片を設けた長片腕杆と短片腕杆とによって、混合容器内の全体を平均して混合、着色できるようにした点にある。
【０００６】
【課題を解決するための手段】
本発明は、各種の合成樹脂原料を注入する混合容器の攪拌混合と、昇降自在に作動する混合機本体は、縦枠と横枠及び昇降横枠とで枠組される。昇降横枠の上部にモーターを設置し、モーターの下端の回転軸部に攪拌機を装設する。該攪拌機には、一方に垂直攪拌軸を設けた長片腕杆期と、他方に垂直攪拌軸を設けた短片腕杆を形成し、また、該垂直攪拌軸には、各々支持軸を突設すると共に、支持軸に複数の攪拌翼片を設けた着脱攪拌翼部を装着してある。
更に、垂直攪拌軸に設けた該支持軸を多角形とすると共に、それに嵌合する着脱攪拌翼部の内孔も多角形としたことを特徴とする。
【０００７】
【作用】
本発明は、上記のように構成されているので、今この混合容器（１５）を使用した原料の攪拌混合及び染色する場合の用法を説明すると、ペレツト状の各種樹脂原料及び着色剤等を該混合容器（１５）内に供給する。図１の状態で上部のモーター（３）の回転によって、長片腕杆（６）の攪拌翼片（１０）と短片腕杆（７）の攪拌翼片（１０）とを回転して攪拌混合する。この時、長片腕杆（６）の攪拌翼片（１０）で混合容器（１５）の内部の内側部分を混合し、短片腕杆（７）の攪拌翼片（１０）で内部の外側部分を混合するために該混合容器（１５）の内部は平均して混合攪拌できる。その後、モーター（３）を停止して該昇降横枠（２）の上昇と共に攪拌機（２０）を上昇させる。該攪拌機（２０）が上昇した後、該着脱攪拌翼部（９）を垂直攪拌軸（８）の支持軸（１１）より脱離して着色剤等の汚れを簡単に清掃するものである。上記の昇降操作を繰り返して各種原料等を完全に攪拌混合するものである。
【０００８】
【実施例】
次に、本発明の実施例を図面について説明すると、図１、図２において、混合機本体（１）は、合成樹脂の原料を注入する混合容器（１５）の内部を攪拌混合すると共に、混合容器（１５）より攪拌機（２０）を昇降自在に作動するようになっている。また、混合機本体（１）は、前後左右の縦枠（１７）（１７）と前後左右の横枠（１８）（１８）及び昇降横枠（２）（２）とを以て方形状に枠組されている。前記混合容器（１５）は、各種大小の円筒形で底部（２３）の中央に起立した分離用の突出部（１６）を形成してある。
【０００９】
前記縦枠（１７）（１７）の間には、該昇降横枠（２）（２）を上下に誘導する誘導杆（１９）を立設してある。該昇降横枠（２）（２）の上部には、減速機（４）を設けたモーター（３）を載置してある。また、昇降横枠（２）（２）の下部には、昇降横枠（２）（２）を上下に作動するエアー又は油圧等の昇降具を装設してある。更に、該昇降横枠（２）（２）の該モーター（３）には、下方に設けた回転軸部（５）に攪拌機（２０）を連結してある。
【００１０】
該攪拌機（２０）には、一方に垂直攪拌軸（８）を設けた長片腕杆（６）を形成すると共に、他方に垂直攪拌軸（８）を設けた短片腕杆（７）を形成してある。該垂直攪拌軸（８）（８）には、下端に各々下端攪拌爪（２２）（２２）を形成してある。また、該長片腕杆（６）の該垂直攪拌軸（８）には、内方に突設した丸型、角型等の各種形状の支持軸（１１）を突設形成してある。該短片腕杆（７）の該垂直攪拌軸（８）には、外向に突設した丸型、角型等の各種形状の支持軸（１１）を形成してある。
【００１１】
前記支持軸（１１）には、下方に各種形状の数本の攪拌翼片（１０）をプレート（２４）の下方に設け、着脱自在となる内部を貫通した挿通孔（１２）を穿設した着脱攪拌翼部（９）を装嵌してある。符号（１３）は、該支持軸（１１）（１１）に固定するための螺子孔を示したものである。
【００１２】
【発明の効果】
本発明の合成樹脂原料の混合攪拌翼装置によれば、従来の回転式攪拌のように長時間の回転が必要なく、非常に大きい動力源が不必要であると共に、攪拌混合状態を上部より見ながら作業ができる便利な効果がある。また、従来のものと相違して混合容器内の混合攪拌が全体を均等に混合できる効果と、各着脱攪拌翼部の洗浄が容易にできる効果がある。そして、モーターの下端に設けた攪拌機には、一方に長片腕杆を設け、他方に短片腕杆を設けたことより該混合容器内の外周と内周とを平均に混合できる便利な効果がある。該長片腕杆と短片腕杆とに着脱自在に嵌装する攪拌翼片を設けた着脱攪拌翼部によっては、攪拌混合作業が終了して上昇した後、該着脱攪拌翼部を脱離し、翼片部の汚染部分を従来のものより著しく簡単確実に清掃できる便利な効果がある。また、垂直攪拌軸に設けた支持軸を多角形とし、着脱攪拌翼部の挿通孔を各々多角形としたことによって、着脱攪拌翼部の垂直位置の嵌着が容易であると共に、緩んだり回動することなく垂直位置に確実に固定できる便利な効果がある。
【図面の簡単な説明】
【図１】本発明の１内部を開示した正面図である。
【図２】同じく本発明の使用状態の平面図である。
【図３】本発明の攪拌機と周辺の要部との一部欠除した縦断正面図である。
【図４】同じく本発明の垂直攪拌軸の支持軸と着脱攪拌翼部との一部欠除した正面図である。
【図５】本発明の着脱攪拌翼部の正面図である。
【図６】同じく本発明の着脱攪拌翼部の側面図である。
【図７】本発明の着脱攪拌翼部の底面図である。
【符号の説明】
１          混合機本体
２          昇降横枠
３          モーター
４          減速機
５          回転軸部
６          長片腕杆
７          短片腕杆
８          垂直攪拌軸
９          着脱攪拌翼部
１０        攪拌翼片
１１        支持軸
１２        挿通孔
１５        混合容器
１６        分離用突出部
１７        縦枠
１８        横枠
１９        誘導杆
２０        攪拌機
２２        下部攪拌爪
２３        底部
【図１】
0004058575.tif 000002
【図２】
0004058575.tif 000003
【図３】
0004058575.tif 000004
【図４】
0004058575.tif 000005
【図５】
0004058575.tif 000006
【図６】
0004058575.tif 000007
【図７】
0004058575.tif 000008